(57)【要約】【課題】  通信機器に関する端末分野において、これら端末機器の開発過程においては出来るだけ電波の飛距離を延ばそうとする傾向があるが、その弊害としてこれら端末を発信源とした誤作動や、周辺外部に迷惑を与える可能性、或いはまたこれら通信機器の電磁波を元とした電波障害などによる健康被害や人身不安を与える可能性がある。【解決手段】  本発明は電磁波の発信源である携帯電話本体、或いは端末通信機器などの受発信装置を、内面側に微弱電波を適度に減衰する反射系素材で、外面表皮側は風雨や太陽光に強い耐光性樹脂系又は合成素材で構成する保護兼誤作動防止の電磁波減衰素材などの材料で仕上げた保護ケース若しくは保護袋に、通信端末機器を装填することにより電波障害などによる人体への影響不安の解消、並びに誤作動や情報漏洩などを未然に防止することが出来る手段を提供する。【選択図】図１
2009130921.tif 000002
【特許請求の範囲】
【請求項１】
装置内面側に微弱電波を減衰する反射系素材を使用し、外面表皮は風雨や太陽光に強い耐光性樹脂又は合成素材で構成する、携帯電話機若しくは携帯型通信端末装置の保護兼誤作動防止機能を持つケース若しくは袋状の電磁波減衰装置
【請求項２】
立て掛けや携帯や装飾、若しくは固定機能を持つ請求項１に記載の電磁波減衰装置
【請求項３】
ブルートウース等の無線通信機器から発する微弱電波の氾濫や混線、並びに人体への影響を未然に低減させる機能を持つ請求項１若しくは請求項２に記載の電磁波減衰装置
【請求項４】
金属或いは金属類の蒸着や埋め込みや添付、若しくは導電性を有した樹脂系材料又は繊維材を利用した請求項１若しくは請求項２に記載の電磁波減衰装置
【発明の詳細な説明】
【技術分野】
【０００１】本発明は、産業界はもとより個人の間において益々発達する超小型化、携帯型化する通信機器に関する端末分野において、これら端末機器を原因とする、周辺外部に与える迷惑やこれら機器を利用した事件や事故、或いは今後に於ける犯罪を未然に防止するための保護兼、誤作動による事故や、事件防止はもとより、古くから言われながら消えることのない電波障害などによる健康被害や人身不安を、未然に防ぎわが国憲法が保障する健康で安らかな人生を保持するためにも、事前にその関連電波をそれぞれの通信機器端末で、適度に減衰し前記電波障害の可否は別として、その不安事項そのものを未然に防止するための通信機器端末に関係する分野のものである。
【背景技術】
【０００２】従来、大衆の集まるビルやほとんどの街角、若しくは目抜き通りには公衆電話が設置され、公衆の利便性はもとより、非常時の際の緊急連絡には大いに役立ってきたが、政府の政策転換による電電公社の民営化方針などをはじめ、通信機器の急速な開発をベースとした、最近の目覚しい携帯電話の普及などに押されて、赤字となった公衆電話の撤去が始まり、その設置台数は急速に減少化している。また最近のわが国では国際化、グローバル化により犯罪も同時に国際化し多様化しており、その上、町内における隣近所との会話も少なくなった今日、夫婦共稼ぎ家族の増加等など、緊急の際の１１０番だけでは安心安全の確保は非常に困難となっており、同時に事件の検挙率も急速に減少している。これら近年に於ける社会傾向急変の大きな要因のひとつとして通信機器や携帯電話の急速な普及が挙げられる。これら通信機器や携帯型電話の普及は現在でも益々その開発度合いを深め、これら通信機器の発達はその留まるところを見失うほどの勢いで、それも世界規模で高度化してきているが、同時にこれらを悪用した犯罪や事故も当然、多発する傾向にあり、これら通信機器による電波公害や電波犯罪に関する防止装置や遮蔽機器も同様に発達して来た。先願例としても特開平８−３３７８３号広報や登録実用新案第３０３８９８６号広報など沢山あるが、しかしこれら先願例は全て構造物関係と通信機器との電波障害や電波遮蔽に関すものがほとんどである。又、今日ではこれらの携帯型、端末型の通信機器としての一つに、無線通信規格であるブルートウースを利用した機器が急速に若者の間で広がってきているが、本発明はこれら無線通信端末に関するその機器の損傷やこれら通信機器を悪用した事件や事故や誤解を未然に防ぐ為、並びにその機能性をより高めると同時にその安心安全を提供するものである。
【特許文献１】特開平８−３３７８３号広報  登録実用新案第３０３８９８６号広報
【発明の開示】
【発明が解決しようとする課題】
【０００３】超小型化、携帯型化する通信機器に関する端末分野において、これら端末機器を原因とする、周辺外部に与える迷惑やこれら機器を利用した事件や事故、或いは今後に於ける犯罪を未然に防止するための保護兼、誤作動による事故や、事件防止はもとより、古くから言われながら消えることのない電波障害などによる健康被害や人身不安、特に人間は思うという心の作用で、或いはその思いの深さ次第でその人を幸せに或いは不幸にする心の力が備わっており、本件の場合電波障害に関しては通信メーカーや電力会社はその不安の払拭にも一部の力を注ぐほど人体に与える電波障害は未解決の分野があることも確かであり、本発明はこれらの不安を例えその一部でも、事前にその関連電波をそれぞれの端末で、適度に減衰し前記電波障害の可否は別として、その不安事項そのものを未然に防止するための通信機器端末に関係する分野のものである。
【課題を解決するための手段】
【０００４】世界的規模で発達高度化してきたこれら携帯型通信機器に関する関連産業、利便性に甘え急速に増大する消費者と同時にこれらを悪用した犯罪や事故も当然、加速多発する傾向にあるが、これと同時に電波公害や電波犯罪に関する防止装置や遮蔽機器も同様に発達して来た。しかしこれら電波の障害防止用関連機器としての開発は、今日までは特に大型案件にその的を絞られたかの如くの感があったが、やっと最近これら通信機器端末分野でもその障害防止機器や装置の開発が進んできている。又、これらの携帯型、端末型の通信機器としての一つに、無線通信規格であるブルートウースを利用した機器が今日急速に若者の間で広がってきているが、本発明は身近に存在するこれら無線通信端末に関する人体への影響やその機器の損傷、これら通信機器を悪用した事件や事故や誤解などを未然に防ぐ為、並びにその機能性をより高めると同時にその利便性を提供するものである。【０００５】特に最近の携帯電話では、ブルートウース等の通信規格を備えることで同規格の小型通信機器同士で通信可能な仕様が増えている。この小型通信機器として、携帯電話用の小型ハンズフリー電話機などがこれに相当するが、携帯電話本体をどこかに置き忘れても約１０メートルの範囲内であればイヤホーンの如く個人の耳に付属、若しくは耳孔に差し込むだけで十分会話ができ、目的を達することが出来るなど、ビジネス界における通信機器としては大変便利な世界が現実化しておるが、開発も前方ばかり視線が向いていた為か、その弊害の気付きが忘れられていた。例えば人体への影響面からは、自動車内では至近距離で常時電磁波をシャワーの如く浴びている状態であり、機器的な面からでは、携帯電話本体とその携帯電話の付属端末は着信の際、同時に同じメッセージが発せられる為、例えば携帯電話を車内や社内や脱いだ上着のポケットなどに放置したまま本人は端末を自分の耳など身体に装着したまま、その場を離れていた場合その距離が約１０ｍ以内であれば装着した端末の作動により、そのまま会話が可能でありその結果、置き忘れた携帯本体でも同時に会話がオープン化され重大な情報漏洩を招く可能性がある。あるいは手元の携帯からの受発信の際に車内へ置かれたヘッドセットが誤作動を起こし携帯の通話がヘッドセットに取られてしまうという珍現象も起こる可能性がある。特に近代社会では情報は最も貴重な要素の一つであり、セキュリティ社会における情報重視の会社にとっては大変貴重な無形資源である。そこで本発明は携帯電話本体並びにその端末それぞれを、内面側に微弱電波を減衰する反射系素材を使用し、外面表皮は風雨や太陽光に強い耐光性樹脂系、又は合成素材で構成する保護兼誤作動防止の電磁波減衰素材で製作した専用ケース、若しくは専用袋内に装填し使用すれば、もし携帯電話本体を忘れた状態でその一方の端末で会話をしても情報漏洩を未然に抑えることが可能となる。
【発明の効果】
【０００６】競争社会において、情報は社運を変えるほど重要であり、通信機器の中でもインターネットとは別に、会話は感情を伝える貴重な手段であり、最新の通信規格であるブルートウースを使用する多忙なビジネスマンにとって携帯電話本体とその端末を身に付けることは一般化しつつあると共に、その弊害としての多忙が故の置忘れがある。本発明はブルートゥースの通信距離を適度に減衰させている為、ヘッドセット機器等においては、車内での通話に支障を与えることなく人体への影響を低減し、車外近辺時などでの誤作動の低減や、そのことによる情報漏洩の不安を心配する必要が無くなり、親機並びに子機ともども別途に本発明の専用ケース若しくは専用袋に装填することにより親機を放置していても本人は安心して会話が出来ることとなった。
【発明を実施するための最良の形態】
【０００６】図１は本発明の保護兼誤作動防止の電磁波減衰素材で製作したチャック閉めの携帯本体ケースである。
図２は保護兼誤作動防止の電磁波減衰素材で製作した端末用ペン型ケースである。
図３は本発明の保護兼誤作動防止の電磁波減衰素材で製作した携帯本体ケースである。
である。
【実施例１】
【０００７】実施例によって本発明を説明する。
図１は保護兼誤作動防止の電磁波減衰素材で製作したチャック閉めの携帯型ケースである。
図２保護兼誤作動防止の電磁波減衰素材で製作した端末用ペン型ケースである。
図３は携帯本体を装填するケースでありデザイン性に優れた保護袋を試作した。
素材の表皮は木綿素材であるが、中に金属を蒸着した導電性の不織布を織り込んである。サンワサプライ製ＭＭ−ＢＴＭＨ１とシャープ製ＳＢ９１０ＳＨとを使って通信可能な距離を試験したところ、保護袋非装着時１２ｍ、装着時３ｍと、通信距離が著しく低下した。
【産業上の利用可能性】
【０００８】以上詳記した様に、携帯端末通信機器は世界的に急成長し、多様な利用法が開発され、その装飾においても１００人１００様の装飾がなされており、小型端末通信機器からの通信電波さえも、その飛距離は最近では１０ｍ近く電波が届く規格が現れる時代となったものの、逆に電波の飛距離が伸びたが為の迷惑案件も当然多発し始めており、後追いながらこれらの後処理問題は必然的に発生する産業であり、本発明を契機とした関連機器が今後多目的に開発される可能性がある。
【図１】
2009130921.tif 000003
【図２】
2009130921.tif 000004
【図３】
2009130921.tif 000005
【手続補正書】
【提出日】平成20年1月31日(2008.1.31)
【手続補正１】
【補正対象書類名】明細書
【補正対象項目名】全文
【補正方法】変更
【補正の内容】
【発明の詳細な説明】
【技術分野】
【０００１】本発明は、産業界はもとより個人の間において益々発達する超小型化、携帯型化する通信機器に関する端末分野において、これら端末機器を原因とする、周辺外部に与える迷惑やこれら機器を利用した事件や事故、或いは今後に於ける犯罪を未然に防止するための保護兼、誤作動による事故や、事件防止はもとより、古くから言われながら消えることのない電波障害などによる健康被害や人身不安を、未然に防ぎわが国憲法が保障する健康で安らかな人生を保持するためにも、事前にその関連電波をそれぞれの通信機器端末で、適度に減衰し前記電波障害の可否は別として、その不安事項そのものを未然に防止するための通信機器端末に関係する分野のものである。
【背景技術】
【０００２】従来、大衆の集まるビルやほとんどの街角、若しくは目抜き通りには公衆電話が設置され、公衆の利便性はもとより、非常時の際の緊急連絡には大いに役立ってきたが、政府の政策転換による電電公社の民営化方針などをはじめ、通信機器の急速な開発をベースとした、最近の目覚しい携帯電話の普及などに押されて、赤字となった公衆電話の撤去が始まり、その設置台数は急速に減少化している。また最近のわが国では国際化、グローバル化により犯罪も同時に国際化し多様化しており、その上、町内における隣近所との会話も少なくなった今日、夫婦共稼ぎ家族の増加等など、緊急の際の１１０番だけでは安心安全の確保は非常に困難となっており、同時に事件の検挙率も急速に減少している。これら近年に於ける社会傾向急変の大きな要因のひとつとして通信機器や携帯電話の急速な普及が挙げられる。これら通信機器や携帯型電話の普及は現在でも益々その開発度合いを深め、これら通信機器の発達はその留まるところを見失うほどの勢いで、それも世界規模で高度化してきているが、同時にこれらを悪用した犯罪や事故も当然、多発する傾向にあり、これら通信機器による電波公害や電波犯罪に関する防止装置や遮蔽機器も同様に発達して来た。先願例としても特開平８−３３７８３号広報や登録実用新案第３０３８９８６号広報など沢山あるが、しかしこれら先願例は全て構造物関係と通信機器との電波障害や電波遮蔽に関すものがほとんどである。又、今日ではこれらの携帯型、端末型の通信機器としての一つに、無線通信規格であるブルートウースを利用した機器が急速に若者の間で広がってきているが、本発明はこれら無線通信端末に関するその機器の損傷やこれら通信機器を悪用した事件や事故や誤解を未然に防ぐ為、並びにその機能性をより高めると同時にその安心安全を提供するものである。
【特許文献１】特開平８−３３７８３号広報  登録実用新案第３０３８９８６号広報
【発明の開示】
【発明が解決しようとする課題】
【０００３】超小型化、携帯型化する通信機器に関する端末分野において、これら端末機器を原因とする、周辺外部に与える迷惑やこれら機器を利用した事件や事故、或いは今後に於ける犯罪を未然に防止するための保護兼、誤作動による事故や、事件防止はもとより、古くから言われながら消えることのない電波障害などによる健康被害や人身不安、特に人間は思うという心の作用で、或いはその思いの深さ次第でその人を幸せに或いは不幸にする心の力が備わっており、本件の場合電波障害に関しては通信メーカーや電力会社はその不安の払拭にも一部の力を注ぐほど人体に与える電波障害は未解決の分野があることも確かであり、本発明はこれらの不安を例えその一部でも、事前にその関連電波をそれぞれの端末で、適度に減衰し前記電波障害の可否は別として、その不安事項そのものを未然に防止するための通信機器端末に関係する分野のものである。
【課題を解決するための手段】
【０００４】世界的規模で発達高度化してきたこれら携帯型通信機器に関する関連産業、利便性に甘え急速に増大する消費者と同時にこれらを悪用した犯罪や事故も当然、加速多発する傾向にあるが、これと同時に電波公害や電波犯罪に関する防止装置や遮蔽機器も同様に発達して来た。しかしこれら電波の障害防止用関連機器としての開発は、今日までは特に大型案件にその的を絞られたかの如くの感があったが、やっと最近これら通信機器端末分野でもその障害防止機器や装置の開発が進んできている。又、これらの携帯型、端末型の通信機器としての一つに、無線通信規格であるブルートウースを利用した機器が今日急速に若者の間で広がってきているが、本発明は身近に存在するこれら無線通信端末に関する人体への影響やその機器の損傷、これら通信機器を悪用した事件や事故や誤解などを未然に防ぐ為、並びにその機能性をより高めると同時にその利便性を提供するものである。【０００５】特に最近の携帯電話では、ブルートウース等の通信規格を備えることで同規格の小型通信機器同士で通信可能な仕様が増えている。この小型通信機器として、携帯電話用の小型ハンズフリー電話機などがこれに相当するが、携帯電話本体をどこかに置き忘れても約１０メートルの範囲内であればイヤホーンの如く個人の耳に付属、若しくは耳孔に差し込むだけで十分会話ができ、目的を達することが出来るなど、ビジネス界における通信機器としては大変便利な世界が現実化しておるが、開発も前方ばかり視線が向いていた為か、その弊害の気付きが忘れられていた。例えば人体への影響面からは、自動車内では至近距離で常時電磁波をシャワーの如く浴びている状態であり、機器的な面からでは、携帯電話本体とその携帯電話の付属端末は着信の際、同時に同じメッセージが発せられる為、例えば携帯電話を車内や社内や脱いだ上着のポケットなどに放置したまま本人は端末を自分の耳など身体に装着したまま、その場を離れていた場合その距離が約１０ｍ以内であれば装着した端末の作動により、そのまま会話が可能でありその結果、置き忘れた携帯本体でも同時に会話がオープン化され重大な情報漏洩を招く可能性がある。あるいは手元の携帯からの受発信の際に車内へ置かれたヘッドセットが誤作動を起こし携帯の通話がヘッドセットに取られてしまうという珍現象も起こる可能性がある。特に近代社会では情報は最も貴重な要素の一つであり、セキュリティ社会における情報重視の会社にとっては大変貴重な無形資源である。そこで本発明は携帯電話本体並びにその端末それぞれを、内面側に微弱電波を減衰する反射系素材を使用し、外面表皮は風雨や太陽光に強い耐光性樹脂系、又は合成素材で構成する保護兼誤作動防止の電磁波減衰素材で製作した専用ケース、若しくは専用袋内に装填し使用すれば、もし携帯電話本体を忘れた状態でその一方の端末で会話をしても情報漏洩を未然に抑えることが可能となる。
【発明の効果】
【０００６】競争社会において、情報は社運を変えるほど重要であり、通信機器の中でもインターネットとは別に、会話は感情を伝える貴重な手段であり、最新の通信規格であるブルートウースを使用する多忙なビジネスマンにとって携帯電話本体とその端末を身に付けることは一般化しつつあると共に、その弊害としての多忙が故の置忘れがある。本発明はブルートゥースの通信距離を適度に減衰させている為、ヘッドセット機器等においては、車内での通話に支障を与えることなく人体への影響を低減し、車外近辺時などでの誤作動の低減や、そのことによる情報漏洩の不安を心配する必要が無くなり、親機並びに子機ともども別途に本発明の専用ケース若しくは専用袋に装填することにより親機を放置していても本人は安心して会話が出来ることとなった。
【発明を実施するための最良の形態】
【０００６】  図１は本発明の保護兼誤作動防止の電磁波減衰素材で製作したチャック閉めの携帯本体ケースである。
図２は保護兼誤作動防止の電磁波減衰素材で製作した端末用ペン型ケースである。
図３は本発明の保護兼誤作動防止の電磁波減衰素材で製作した携帯本体ケースである。
【実施例１】
【０００７】実施例によって本発明を説明する。
図１は保護兼誤作動防止の電磁波減衰素材で製作したチャック閉めの携帯型ケースである。
図２保護兼誤作動防止の電磁波減衰素材で製作した端末用ペン型ケースである。
図３は携帯本体を装填するケースでありデザイン性に優れた保護袋を試作した。
素材の表皮は木綿素材であるが、中に金属を蒸着した導電性の不織布を織り込んである。サンワサプライ製ＭＭ−ＢＴＭＨ１とシャープ製ＳＢ９１０ＳＨとを使って通信可能な距離を試験したところ、保護袋非装着時１２ｍ、装着時３ｍと、通信距離が著しく低下した。
【産業上の利用可能性】
【０００８】以上詳記した様に、携帯端末通信機器は世界的に急成長し、多様な利用法が開発され、その装飾においても１００人１００様の装飾がなされており、小型端末通信機器からの通信電波さえも、その飛距離は最近では１０ｍ近く電波が届く規格が現れる時代となったものの、逆に電波の飛距離が伸びたが為の迷惑案件も当然多発し始めており、後追いながらこれらの後処理問題は必然的に発生する産業であり、本発明を契機とした関連機器が今後多目的に開発される可能性がある。
【図面の簡単な説明】
【０００９】
【図１】図１は本発明の保護兼誤作動防止の電磁波減衰素材で製作したチャック閉めの携帯本体ケースである。
【図２】図２は保護兼誤作動防止の電磁波減衰素材で製作した端末用ペン型ケースである。
【図３】図３は本発明の保護兼誤作動防止の電磁波減衰素材で製作した手提げ用本体ケースである。
【符号の説明】
【００１０】１    チャック
２    ベルト刺し
３    携帯本体ケース
４    ポケット刺し
５    ペン型ケース
６    手提げケース
７    手提げ紐
【手続補正２】
【補正対象書類名】図面
【補正対象項目名】全図
【補正方法】変更
【補正の内容】
【図１】
2009130921.tif 000006
【図２】
2009130921.tif 000007
【図３】
2009130921.tif 000008